(57)【要約】【課題】位置ずれを抑制すると共に、硬い部分を使用者の身体に当たりにくくすることができる枕を提供する。【解決手段】一実施形態に係る枕は、下方に向けられると共に平坦状に延びる下面生地２と、下面生地２の外縁である縁部２ａに縫い込まれる縁部３ａを有し、縁部３ａから下面生地２の面外方向である厚さ方向Ｄに湾曲して延びる上面生地３と、下面生地２と上面生地３の間に収容される内容物６と、を備えた枕１であって、縁部２ａ及び縁部３ａは、枕１の底部Ｂを構成する。【選択図】図３
2019111270.tif 000002
【特許請求の範囲】
【請求項１】
下方に向けられると共に平坦状に延びる第１布部と、
前記第１布部の外縁である第１縁部に縫い込まれる第２縁部を有し、前記第２縁部から前記第１布部の面外方向に湾曲して延びる第２布部と、
前記第１布部と前記第２布部の間に収容される内容物と、
を備えた枕であって、
前記第１縁部と前記第２縁部は、前記枕の底部を構成する、
枕。
【請求項２】
前記第２縁部には、皺が形成されている、
請求項１に記載の枕。
【請求項３】
前記第１縁部及び前記第２縁部以外の部分において前記第１布部及び前記第２布部が直接縫い込まれる直縫い部を備える、
請求項１又は２に記載の枕。
【請求項４】
前記第１縁部及び前記第２縁部を被覆するテープ部材を備え、
前記テープ部材は、前記第１布部を囲む形状とされている、
請求項１〜３のいずれか一項に記載の枕。
【発明の詳細な説明】
【技術分野】
【０００１】
本発明は、枕に関する。
【背景技術】
【０００２】
従来から枕としては種々のものが知られている。特開２００７−１３６１５１号公報には、上面側に位置する伸縮性の布材と、下面側に位置する非伸縮性の布材とから成る枕袋を備えた枕が記載されている。枕袋の内部には、そば殻が内容物として充填されている。上面側の布材と下面側の布材とは互いに縫い合わされている。上面側の布材と下面側の布材との間の一部には開口部が設けられており、この開口部はファスナによって開閉自在とされている。上面側の布材の大きさは、下面側の布材の大きさと同程度とされている。上面側の布材、及び下面側の布材の境目部分は、下面側の布材の底面よりも上方に浮いた位置に設けられる。
【先行技術文献】
【特許文献】
【０００３】
【特許文献１】特開２００７−１３６１５１号公報
【発明の概要】
【発明が解決しようとする課題】
【０００４】
前述した枕では、上面側の布材の大きさと下面側の布材の大きさとが互いに同程度とされており、上面側の布材と下面側の布材との境目部分は下面側の布材の底面よりも上方に浮いた位置に設けられる。すなわち、下面側の布材は、その縁部が敷き寝具等から浮いており、下面側の布材の縁部は敷き寝具等から上方に離間している。このため、下面側の布材における底面の敷き寝具等に対する接触面積が小さい。敷き寝具等に対する接触面積が小さい枕は、敷き寝具等に対して十分な摩擦力を確保できないため、敷き寝具等において位置ずれしやすいという問題がある。枕が位置ずれしやすいと寝返りを打っただけで直ぐに枕がずれてしまうので、枕の使用者の寝心地を損なう可能性がある。
【０００５】
また、上面側の布材と下面側の布材との境目部分は、複数枚の布が重なる部分であって且つファスナ等が設けられる部分でもあるため、他の部分よりも硬い。よって、上面側の布材と下面側の布材との境目部分が上方に浮いた位置に存在すると、使用者の頭頚部が当該境目部分に接触しやすくなる。従って、硬い部分が使用者の頭頚部に接触することにより、頭頚部に負荷がかかるため、使用者の寝心地を損なう懸念がある。更に、硬い部分が使用者の頭頚部に当たる場合には、使用者の肌へのストレスが問題となる可能性もある。従って、硬い部分を使用者の身体に当たりにくくすることが求められる。
【０００６】
本発明は、位置ずれを抑制すると共に、硬い部分を使用者の身体に当たりにくくすることができる枕を提供することを目的とする。
【課題を解決するための手段】
【０００７】
本発明に係る枕は、下側に向けられると共に平坦状に延びる第１布部と、第１布部の外縁である第１縁部に縫い込まれる第２縁部を有し、第２縁部から第１布部の面外方向に湾曲して延びる第２布部と、第１布部と第２布部の間に収容される内容物と、を備えた枕であって、第１縁部と第２縁部は、枕の底部を構成する。
る。
【０００８】
この枕は、平坦状に延びる第１布部と、第１布部の第１縁部に縫い込まれる第２縁部を有すると共に第２縁部から第１布部の面外方向に湾曲して延びる第２布部とを備え、第１縁部及び第２縁部は枕の底部を構成する。よって、第１布部は平坦状とされており、第２布部は第１縁部及び第２縁部から第１布部の面外方向に湾曲して延びている。従って、平坦な第１布部を下方に向けて枕を敷き寝具等の上に置くことにより、平坦な第１布部の第１縁部と第２縁部とが敷き寝具等の直上に設けられる。その結果、互いに縫い合わされる第１縁部及び第２縁部が敷き寝具等の直上に位置するので、底部を構成する第１縁部及び第２縁部が敷き寝具等から浮き上がることを抑制することができる。従って、硬い部分が敷き寝具等から浮き上がることを抑制することができるので、硬い部分を枕の使用者の身体に当たりにくくすることができる。その結果、枕の使用者の頭頚部には柔らかい上側の第２布部のみを当てることができるため、枕の使用者の寝心地を良好にすることができる。また、平坦な第１布部を下に向けて枕を敷き寝具等の上に置くことにより、敷き寝具等に対する枕の接触面積を大きくすることができる。従って、敷き寝具等に対する枕の摩擦力を十分に確保することができるため、敷き寝具等からの枕の位置ずれを抑制することができる。
【０００９】
また、第２縁部には、皺が形成されていてもよい。この場合、第２布部は、皺が形成された第２縁部が第１縁部に縫い込まれることによって第１布部に接合される。このように皺が形成された第２縁部を縫い込むことにより、第２縁部の硬さを均一に分散させることができる。
【００１０】
また、枕は、第１縁部及び第２縁部以外の部分において第１布部及び第２布部が直接縫い込まれる直縫い部を備えてもよい。この場合、直縫い部では、第１布部及び第２布部が互いに直接縫い込まれており、内容物は存在しない。よって、直縫い部を内容物が存在しない凹状部とすることが可能である。従って、当該凹状部に使用者の後頭部が載せられることにより、使用者の寝心地を更に良好にすることができる。
【００１１】
また、枕は、第１縁部及び第２縁部を被覆するテープ部材を備え、テープ部材は、第１布部を囲む形状とされていてもよい。この場合、平坦な第１布部を囲むようにテープ部材が設けられるため、敷き寝具等には第１布部を囲むテープ部材が接触する。このように平坦な第１布部を囲むテープ部材が敷き寝具等に載せられることにより、敷き寝具等から枕を一層浮きにくくすることができる。従って、敷き寝具等に対する枕の位置ずれをより確実に抑制することができると共に、使用者の身体に硬い部分を一層当たりにくくすることができる。
【発明の効果】
【００１２】
本発明によれば、位置ずれを抑制すると共に、硬い部分を使用者の身体に当たりにくくすることができる。
【図面の簡単な説明】
【００１３】
【図１】実施形態に係る枕を上方から見た斜視図である。
【図２】図１の枕を下方から見た斜視図である。
【図３】（ａ）は、図１の枕の縦断面図である。（ｂ）は、変形例の枕の縦断面図である。
【図４】（ａ），（ｂ）及び（ｃ）は、図１の枕の製造工程を模式的に示す図である。
【発明を実施するための形態】
【００１４】
以下では、図面を参照しながら本発明に係る枕の実施形態について説明する。図面の説明において、同一又は相当する要素には同一の符号を付し、重複する説明を適宜省略する。また、図面は、理解を容易にするため一部を簡素化又は誇張して描いており、寸法及び角度等は図面に記載のものに限定されない。
【００１５】
図１、図２及び図３（ａ）に示されるように、本実施形態に係る枕１は、鏡餅状を成しており、高い柔軟性を有する。枕１は、例えば、乳幼児用として用いられるベビー枕である。枕１は、例えば、汚れ防止のための枕カバーに収容された状態で使用される枕本体である。枕１は、敷き布団又はマットレス等の敷き寝具１０の上に載せられて使用される。枕１は、厚さ方向Ｄに沿って配置される２枚の布部である下面生地２（第１布部）と上面生地３（第２布部）とを備える。上面生地３及び下面生地２は、それぞれ枕１の表裏生地を構成する。
【００１６】
下面生地２は、平坦状とされており、枕１の外方に突出する部位を有しない。下面生地２は、平坦形状に裁断された生地であり、裁断時の略そのままの形状を維持している。前述した厚さ方向Ｄは下面生地２の面外方向に相当する。下面生地２及び上面生地３は、例えば、柔軟性が高い布によって構成されている。以下の説明では、下面生地２に対して上面生地３が設けられる方向を上方向、その反対方向を下方向として説明する。なお、これらの方向は、単なる説明の便宜上のものであって、本発明の範囲を限定するものではない。
【００１７】
枕１は、下面生地２が敷き寝具１０に接触するように下方に向けられると共に、上面生地３が上方に向けられた状態で使用される。下面生地２の形状、及び上面生地３の形状は、例えば、互いに同一であり相似形とされている。一例として、下面生地２の形状、及び上面生地３の形状は円形状である。下面生地２の面積は上面生地３の面積よりも小さい。一例として、下面生地２の直径は２０ｃｍ以上且つ２５ｃｍ以下であり、上面生地３の直径は２６ｃｍ以上且つ３０ｃｍ以下である。
【００１８】
上面生地３は、その縁部３ａ（第２縁部）が下面生地２の縁部２ａ（第１縁部）に縫い込まれると共に、縁部２ａ，３ａから厚さ方向Ｄに湾曲して延びている。すなわち、上面生地３は、緩やかな弧を描くように鏡餅状に湾曲している。縁部２ａ及び縁部３ａは、枕１の周縁へり部、及び、枕１の接ぎ合わせ部分（連結部分）に相当する。また、下面生地２の下面２ｂは敷き寝具１０に面接触する。上面生地３の形状については後に詳述する。
【００１９】
下面生地２の縁部２ａ、及び上面生地３の縁部３ａは、枕１の底部Ｂを構成する。すなわち、縁部２ａ及び縁部３ａは敷き寝具１０の直上に設けられる。また、枕１では、上面生地３の縁部３ａ以外の部分が上方に盛り上がる。また、下面生地２の縁部２ａ、及び上面生地３の縁部３ａは、縁部２ａの周方向に延びるテープ部材４によって被覆された状態で互いに縫い込まれる。
【００２０】
すなわち、縁部２ａ及び縁部３ａは、テープ部材４に被覆された状態で糸５ａが縫い込まれることによって互いに接合されている。また、上面生地３の縁部３ａには、周方向に沿って複数の皺３ｂ（図４参照）が形成されている。皺３ｂは、縁部３ａにおいて弛むことにより凹凸状に形成される。皺３ｂは、例えば、上面生地３の周方向に沿って均一に形成されている。この皺３ｂは、皺３ｂが形成される前には上面生地３の縁部３ａが下面生地２の縁部２ａよりも長いため、縁部２ａに縁部３ａを接合させるために形成された皺である。よって、縁部３ａの長さと縁部２ａの長さとの比率が大きいほど多くの皺３ｂが形成される。この皺３ｂも枕１の下端に位置する。
【００２１】
テープ部材４が設けられる部分は、枕１の他の部位より硬く且つ重い部位とされている。テープ部材４は、枕１の底部Ｂに位置しており、枕１の底部Ｂ以外の箇所には、上面生地３の縁部３ａ以外の部分のみが存在している。よって、枕１の底部Ｂ以外の箇所には、柔軟性が高い上面生地３のみが存在しているため、硬く且つ重い部分を敷き寝具１０に接触させると共に、硬く且つ重い部分を枕１の使用者に当たりにくくすることが可能である。
【００２２】
テープ部材４は、下面生地２を囲む形状とされており、例えば円環状とされている。テープ部材４は、例えば、下面生地２の下面２ｂと共に敷き寝具１０に面接触する。テープ部材４は、一例として、縁部２ａ及び縁部３ａを覆った状態で下面生地２及び上面生地３にヘム巻きされている。テープ部材４は、例えば、薄布状とされており、下面生地２及び上面生地３の周方向に沿って全周に延びている。
【００２３】
下面生地２と上面生地３の間には内容物６が収容されており、内容物６は、例えば、柔軟性素材によって構成されている。内容物６は、枕１の内部に充填される充填物（詰めもの）であってもよい。一例として、内容物６は、中わた、綿、羽毛、パイプ材又はウレタンチップである。但し、内容物６の種類は適宜変更可能である。また、内容物６の充填により、上面生地３が枕１の外側に膨らむように湾曲する曲面状とされる。一方、内容物６が充填されても、下面生地２は、平坦形状を維持している。このため、敷き寝具１０等に対する枕１の接触面は、下面生地２の下面２ｂ及びテープ部材４（枕１の底部Ｂの全体）となる。
【００２４】
下面生地２は枕１の厚さ方向Ｄの内側に窪む凹状部２ｃを有し、上面生地３は枕１の厚さ方向Ｄの内側に窪む凹状部３ｃを有する。凹状部２ｃは下面生地２の下面２ｂから窪んでおり、凹状部３ｃは上面生地３の上面３ｄから窪んでいる。上面生地３の凹状部３ｃは、例えば、乳幼児の後頭部が載せられる部位に相当する。凹状部２ｃ及び凹状部３ｃは厚さ方向Ｄに互いに対向しており、凹状部２ｃと凹状部３ｃの間には内容物６は収容されていない。凹状部２ｃの外縁、及び凹状部３ｃの外縁は、糸５ｂによって直接縫い込まれる直縫い部７とされている。直縫い部７は、例えば、円形状とされている。枕１の厚さ方向Ｄから見たときに、直縫い部７は、枕１の中央に形成されていてもよいし、枕１の中央からずれた位置に形成されていてもよい。また、直縫い部７を省略してもよい。
【００２５】
上面生地３の形状について更に詳細に説明する。上面生地３は、縁部３ａから上方（下面生地２から離れる方向）及び上面生地３の中心３ｆから離れる方向に湾曲して延びる第１の湾曲部３ｇと、第１の湾曲部３ｇの上端から上方及び中心３ｆに向かう方向に湾曲して延びる第２の湾曲部３ｈと、第２の湾曲部３ｈの上端から下方及び中心３ｆに向かう方向に湾曲して延びる第３の湾曲部３ｊとを有する。第１の湾曲部３ｇ及び第２の湾曲部３ｈは、上面生地３の内部への内容物６の充填により枕１の外側に湾曲している。第３の湾曲部３ｊは、内容物６の充填により枕１の外側に湾曲しており、第２の湾曲部３ｈから直縫い部７に向かって延びている。
【００２６】
なお、上面生地３の形状は、第１の湾曲部３ｇ、第２の湾曲部３ｈ及び第３の湾曲部３ｊを有する形状に限られない。図３（ｂ）に示されるように、上面生地３は、第１の湾曲部３ｇ、第２の湾曲部３ｈ及び第３の湾曲部３ｊに代えて、縁部３ａから上方に延びる側面部３ｋと、側面部３ｋの上端から逆Ｕ字状に湾曲する第４の湾曲部３ｍと、第４の湾曲部３ｍの側面部３ｋとの反対側から下方及び中心３ｆに向かう方向に湾曲して延びる第５の湾曲部３ｎと、を有していてもよい。
【００２７】
次に、枕１を製造する方法の例について図４（ａ）〜図４（ｃ）を参照しながら説明する。なお、図４（ａ）〜図４（ｃ）に示す方法では直縫い部７の図示を省略している。まず、図４（ａ）に示されるように、円形状の下面生地２と、下面生地２よりも大きい円形状の上面生地３を用意する（布部を用意する工程）。次に、図４（ｂ）に示されるように、上面生地３を、中心３ｆを中心として下方に湾曲させる（第２布部を湾曲させる工程）。
【００２８】
そして、上面生地３の縁部３ａを下に向けて縁部３ａに皺３ｂを形成し、縁部３ａの周方向の長さを縁部２ａの周方向の長さに合わせる（第２布部の縁部に皺を形成する工程）。このとき、図示は省略するが、下面生地２の中心２ｆに上面生地３の中心３ｆを上方から接触させて直縫い部７を形成してもよい（直縫い部を形成する工程）。続いて、下面生地２及び上面生地３の間に内容物６を充填する（内容物を充填する工程）。その後、下面生地２の縁部２ａと上面生地３の縁部３ａとにテープ部材４を被せてテープ部材４、縁部２ａ及び縁部３ａをミシンで互いに縫い合わせて接合する（第１布部及び第２布部を接合する工程）。以上の工程を経て、枕１の製造の一連の工程が完了する。
【００２９】
次に、本実施形態に係る枕１の作用効果について詳細に説明する。図３（ａ）及び図３（ｂ）に示されるように、枕１は、平坦状に延びる下面生地２と、下面生地２の縁部２ａに縫い込まれる縁部３ａを有すると共に縁部３ａから下面生地２の面外方向である厚さ方向Ｄに湾曲して延びる上面生地３とを備え、縁部２ａと縁部３ａは枕１の底部Ｂを構成する。よって、下面生地２は平坦状とされており、上面生地３は縁部２ａ及び縁部３ａから厚さ方向Ｄに湾曲して延びている。従って、平坦な下面生地２を下方に向けて枕１を敷き寝具１０の上に置くことにより、平坦な下面生地２の縁部２ａと縁部３ａとが敷き寝具１０の直上に設けられる。その結果、互いに縫い合わされる縁部２ａ及び縁部３ａが敷き寝具１０の直上に位置するので、底部Ｂを構成する縁部２ａ及び縁部３ａが敷き寝具１０から浮き上がることを抑制することができる。
【００３０】
従って、硬い部分が敷き寝具１０から浮き上がることを抑制することができるので、硬い部分を枕１の使用者の身体に当たりにくくすることができる。その結果、枕１の使用者の頭頚部には柔らかい上側の上面生地３のみを当てることができるため、枕１の使用者の寝心地を良好にすることができる。また、平坦な下面生地２を下に向けて枕１を敷き寝具１０の上に置くことにより、敷き寝具１０に対する枕１の接触面積を大きくすることができる。従って、敷き寝具１０に対する枕１の摩擦力を十分に確保することができるため、敷き寝具１０に対する枕１の滑りを抑制して敷き寝具１０からの枕１の位置ずれを抑制することができる。
【００３１】
また、図４（ｂ）及び図４（ｃ）に示されるように、縁部３ａには、皺３ｂが形成されている。従って、上面生地３は、皺３ｂが形成された縁部３ａが縁部２ａに縫い込まれることによって下面生地２に接合される。このように皺３ｂが形成された縁部３ａを縫い込むことにより、縁部３ａの硬さを均一に分散させることができる。
【００３２】
また、図２、図３（ａ）及び図３（ｂ）に示されるように、枕１は、縁部２ａ及び縁部３ａ以外の部分において下面生地２及び上面生地３が直接縫い込まれる直縫い部７を備える。直縫い部７では、下面生地２及び上面生地３が互いに直接縫い込まれており、内容物６は存在しない。よって、直縫い部７を内容物６が存在しない凹状部２ｃ，３ｃとすることが可能である。従って、凹状部２ｃ，３ｃに使用者の後頭部が載せられることにより、使用者の寝心地を更に良好にすることができる。
【００３３】
また、枕１は、縁部２ａ及び縁部３ａを被覆するテープ部材４を備え、テープ部材４は、下面生地２を囲む形状とされている。よって、平坦な下面生地２を囲むようにテープ部材４が設けられるため、敷き寝具１０には下面生地２を囲むテープ部材４が接触する。このように平坦な下面生地２を囲むテープ部材４が敷き寝具１０に載せられることにより、敷き寝具１０から枕１を一層浮きにくくすることができる。従って、敷き寝具１０に対する枕１の位置ずれをより確実に抑制することができると共に、使用者の身体に硬い部分を一層当たりにくくすることができる。
【００３４】
また、枕１は、下面生地２と上面生地３との連結部分（縁部２ａ、縁部３ａ及びテープ部材４）が枕１の底部Ｂに位置する。よって、下面生地２と上面生地３との連結部分の敷き寝具１０からの浮き上がりが抑制されると共に、当該連結部分が敷き寝具１０に接触する。当該連結部分は敷き寝具１０等に押し込まれると共に柔らかい敷き寝具１０に入り込む。従って、枕１の使用者の頭頚部は上面生地３の上面３ｄに接触し、使用者の頭頚部を当該連結部分に接触しにくくすることができる。その結果、使用者の身体に硬い部分を接触しにくくすることができる。
【００３５】
また、枕１は、乳幼児用として用いられるベビー枕である。ところで、従来の枕では、上面生地と下面生地との境目部分が敷き寝具等から上方に浮いた位置に存在しており、使用者の頭頚部が当該境目部分に接触しやすいという問題があった。よって、この枕を未発達な乳幼児が使用すると、枕が乳幼児の肌へのストレスとなり肌を傷つける可能性があるという問題が発生しうる。これに対し、本実施形態に係る枕１では、枕１の底部Ｂの全体（下面生地２及びテープ部材４）が敷き寝具１０に面接触することにより、寝返り等、乳幼児の頭頚部の動作が生じても、敷き寝具１０からずれにくい乳幼児用の枕１、並びに、枕１の側地である下面生地２及び上面生地３を提供することができる。
【００３６】
以上、本発明に係る枕の実施形態について説明したが、本発明は、前述した実施形態に限定されるものではなく、各請求項に記載した要旨を変更しない範囲において変形してもよい。すなわち、本発明に係る枕の各部の構成は、上記の要旨を変更しない範囲において種々の変形が可能である。
【００３７】
例えば、前述の実施形態では、枕１の内部（下面生地２と上面生地３の間）に内容物６が充填される例について説明した。この内容物６に加えて、枕１は、枕１の内部を仕切る（内容物６を移動不能とする）マチ部を備えていてもよい。マチ部は、直線状に形成されていてもよいし、曲線状に形成されていてもよい。更に、枕１は、互いに交差する複数のマチ部を備えていてもよい。
【００３８】
また、前述の実施形態では、テープ部材４が下面生地２の縁部２ａと上面生地３の縁部３ａとを被覆する例について説明した。しかしながら、テープ部材４は省略することが可能である。例えば、下面生地２の縁部２ａと上面生地３の縁部３ａとを縫い込んで接合すると共に内外を裏返して枕１を形成してもよい。
【００３９】
また、前述の実施形態では、上面生地３の周方向に沿って均一に形成される皺３ｂについて説明した。しかしながら、皺３ｂは、均一に形成されていなくてもよく、上面生地３の特定の部位に局所的に形成されていてもよい。この場合、上面生地３に、皺３ｂが存在しない（又は皺３ｂが少ない）柔らかい部位を設けることが可能となる。
【００４０】
また、前述の実施形態では、上面生地３の縁部３ａに皺３ｂを形成することによって縁部３ａの周方向の長さを縁部２ａの周方向の長さに合わせる例について説明した。しかしながら、長さを合わせる方法は上記の例に限定されず適宜変更可能である。例えば、上面生地３の縁部３ａに切り込みを入れることによって縁部３ａの周方向の長さを縁部２ａの周方向の長さに合わせてもよい。
【００４１】
また、前述の実施形態では、円形状の下面生地２、及び円形状の上面生地３を備えた枕１について説明した。しかしながら、下面生地及び上面生地の形状は、四角形状等の多角形状、又は長円形状等であってもよく、適宜変更可能である。また、下面生地及び上面生地の大きさ、及び大きさの比率は適宜変更可能であり、下面生地及び上面生地の材料についても、前述した実施形態に限られず適宜変更可能である。
【００４２】
また、前述の実施形態では、枕１が敷き寝具１０の上に置かれる例について説明した。しかしながら、枕１は、例えば、カーペット等、敷き寝具１０以外の箇所に置かれてもよい。更に、前述の実施形態では、乳幼児用枕である枕１について説明した。しかしながら、本発明は、乳幼児用の枕に限られず、ジュニア用の枕、又は大人用の枕等、種々の枕に適用させることができる。
【符号の説明】
【００４３】
１…枕、２…下面生地（第１布部）、２ａ…縁部（第１縁部）、２ｂ…下面、２ｃ…凹状部、２ｆ…中心、３…上面生地（第２布部）、３ａ…縁部（第２布部）、３ｂ…皺、３ｃ…凹状部、３ｄ…上面、３ｆ…中心、３ｇ…第１の湾曲部、３ｈ…第２の湾曲部、３ｊ…第３の湾曲部、３ｋ…側面部、３ｍ…第４の湾曲部、３ｎ…第５の湾曲部、４…テープ部材、５ａ，５ｂ…糸、６…内容物、７…直縫い部、１０…敷き寝具、Ｄ…厚さ方向。
【図１】
2019111270.tif 000003
【図２】
2019111270.tif 000004
【図３】
2019111270.tif 000005
【図４】
2019111270.tif 000006
【手続補正書】
【提出日】平成30年11月16日(2018.11.16)
【手続補正１】
【補正対象書類名】特許請求の範囲
【補正対象項目名】全文
【補正方法】変更
【補正の内容】
【特許請求の範囲】
【請求項１】
下方に向けられると共に平坦状に延びる第１布部と、
前記第１布部の外縁である第１縁部に縫い込まれる第２縁部を有し、前記第２縁部から前記第１布部の面外方向に湾曲して延びる第２布部と、
前記第１布部と前記第２布部の間に収容される内容物と、
を備えた枕であって、
前記第１縁部と前記第２縁部は、前記枕の底部を構成し、
前記第１縁部及び前記第２縁部を被覆するテープ部材を備え、
前記テープ部材は、前記第１布部を囲む形状とされており、
前記テープ部材は、前記第１布部の下面と共に敷き寝具に面接触する、
枕。
【請求項２】
前記第２縁部には、皺が形成されている、
請求項１に記載の枕。
【請求項３】
前記第１縁部及び前記第２縁部以外の部分において前記第１布部及び前記第２布部が直接縫い込まれる直縫い部を備える、
請求項１又は２に記載の枕。
【手続補正２】
【補正対象書類名】明細書
【補正対象項目名】０００７
【補正方法】変更
【補正の内容】
【０００７】
本発明に係る枕は、下側に向けられると共に平坦状に延びる第１布部と、第１布部の外縁である第１縁部に縫い込まれる第２縁部を有し、第２縁部から第１布部の面外方向に湾曲して延びる第２布部と、第１布部と第２布部の間に収容される内容物と、を備えた枕であって、第１縁部と第２縁部は、枕の底部を構成し、第１縁部及び第２縁部を被覆するテープ部材を備え、テープ部材は、第１布部を囲む形状とされており、テープ部材は、第１布部の下面と共に敷き寝具に面接触する。
【手続補正３】
【補正対象書類名】明細書
【補正対象項目名】０００８
【補正方法】変更
【補正の内容】
【０００８】
この枕は、平坦状に延びる第１布部と、第１布部の第１縁部に縫い込まれる第２縁部を有すると共に第２縁部から第１布部の面外方向に湾曲して延びる第２布部とを備え、第１縁部及び第２縁部は枕の底部を構成する。よって、第１布部は平坦状とされており、第２布部は第１縁部及び第２縁部から第１布部の面外方向に湾曲して延びている。従って、平坦な第１布部を下方に向けて枕を敷き寝具等の上に置くことにより、平坦な第１布部の第１縁部と第２縁部とが敷き寝具等の直上に設けられる。その結果、互いに縫い合わされる第１縁部及び第２縁部が敷き寝具等の直上に位置するので、底部を構成する第１縁部及び第２縁部が敷き寝具等から浮き上がることを抑制することができる。従って、硬い部分が敷き寝具等から浮き上がることを抑制することができるので、硬い部分を枕の使用者の身体に当たりにくくすることができる。その結果、枕の使用者の頭頚部には柔らかい上側の第２布部のみを当てることができるため、枕の使用者の寝心地を良好にすることができる。また、平坦な第１布部を下に向けて枕を敷き寝具等の上に置くことにより、敷き寝具等に対する枕の接触面積を大きくすることができる。従って、敷き寝具等に対する枕の摩擦力を十分に確保することができるため、敷き寝具等からの枕の位置ずれを抑制することができる。また、平坦な第１布部を囲むようにテープ部材が設けられるため、敷き寝具等には第１布部を囲むテープ部材が接触する。このように平坦な第１布部を囲むテープ部材が敷き寝具等に載せられることにより、敷き寝具等から枕を一層浮きにくくすることができる。従って、敷き寝具等に対する枕の位置ずれをより確実に抑制することができると共に、使用者の身体に硬い部分を一層当たりにくくすることができる。
【手続補正４】
【補正対象書類名】明細書
【補正対象項目名】００１１
【補正方法】削除
【補正の内容】
【手続補正書】
【提出日】平成31年3月15日(2019.3.15)
【手続補正１】
【補正対象書類名】特許請求の範囲
【補正対象項目名】全文
【補正方法】変更
【補正の内容】
【特許請求の範囲】
【請求項１】
下方に向けられると共に平坦状に延びる第１布部と、
前記第１布部の外縁である第１縁部に縫い込まれる第２縁部を有し、前記第２縁部から前記第１布部の面外方向に湾曲して延びる第２布部と、
前記第１布部と前記第２布部の間に収容される内容物と、
を備えた枕であって、
前記第１縁部と前記第２縁部は、前記枕の底部を構成し、
前記第１縁部及び前記第２縁部を被覆するテープ部材を備え、
前記テープ部材は、前記第１布部を囲む形状とされており、
前記テープ部材は、前記第１布部の下面と共に敷き寝具に面接触し、
前記第２縁部には、皺が形成されている、
枕。
【請求項２】
前記第１縁部及び前記第２縁部以外の部分において前記第１布部及び前記第２布部が直接縫い込まれる直縫い部を備える、
請求項１に記載の枕。
【手続補正２】
【補正対象書類名】明細書
【補正対象項目名】０００７
【補正方法】変更
【補正の内容】
【０００７】
本発明に係る枕は、下側に向けられると共に平坦状に延びる第１布部と、第１布部の外縁である第１縁部に縫い込まれる第２縁部を有し、第２縁部から第１布部の面外方向に湾曲して延びる第２布部と、第１布部と第２布部の間に収容される内容物と、を備えた枕であって、第１縁部と第２縁部は、枕の底部を構成し、第１縁部及び第２縁部を被覆するテープ部材を備え、テープ部材は、第１布部を囲む形状とされており、テープ部材は、第１布部の下面と共に敷き寝具に面接触し、第２縁部には、皺が形成されている。
【手続補正３】
【補正対象書類名】明細書
【補正対象項目名】０００８
【補正方法】変更
【補正の内容】
【０００８】
この枕は、平坦状に延びる第１布部と、第１布部の第１縁部に縫い込まれる第２縁部を有すると共に第２縁部から第１布部の面外方向に湾曲して延びる第２布部とを備え、第１縁部及び第２縁部は枕の底部を構成する。よって、第１布部は平坦状とされており、第２布部は第１縁部及び第２縁部から第１布部の面外方向に湾曲して延びている。従って、平坦な第１布部を下方に向けて枕を敷き寝具等の上に置くことにより、平坦な第１布部の第１縁部と第２縁部とが敷き寝具等の直上に設けられる。その結果、互いに縫い合わされる第１縁部及び第２縁部が敷き寝具等の直上に位置するので、底部を構成する第１縁部及び第２縁部が敷き寝具等から浮き上がることを抑制することができる。従って、硬い部分が敷き寝具等から浮き上がることを抑制することができるので、硬い部分を枕の使用者の身体に当たりにくくすることができる。その結果、枕の使用者の頭頚部には柔らかい上側の第２布部のみを当てることができるため、枕の使用者の寝心地を良好にすることができる。また、平坦な第１布部を下に向けて枕を敷き寝具等の上に置くことにより、敷き寝具等に対する枕の接触面積を大きくすることができる。従って、敷き寝具等に対する枕の摩擦力を十分に確保することができるため、敷き寝具等からの枕の位置ずれを抑制することができる。また、平坦な第１布部を囲むようにテープ部材が設けられるため、敷き寝具等には第１布部を囲むテープ部材が接触する。このように平坦な第１布部を囲むテープ部材が敷き寝具等に載せられることにより、敷き寝具等から枕を一層浮きにくくすることができる。従って、敷き寝具等に対する枕の位置ずれをより確実に抑制することができると共に、使用者の身体に硬い部分を一層当たりにくくすることができる。また、第２縁部には、皺が形成されている。従って、第２布部は、皺が形成された第２縁部が第１縁部に縫い込まれることによって第１布部に接合される。このように皺が形成された第２縁部を縫い込むことにより、第２縁部の硬さを均一に分散させることができる。
【手続補正４】
【補正対象書類名】明細書
【補正対象項目名】０００９
【補正方法】削除
【補正の内容】